(57)【要約】【課題】ブレードで打球した際、シャフト部分の回転を抑制することが可能な競技用スティックを提供する。【解決手段】本発明は、先端にブレードを装着したシャフト２を有する競技用スティックであって、シャフト２の表面部に、軸長方向に延出し外方に向けて膨出する少なくとも２つ以上の膨出部２Ａを形成したことを特徴とする。【選択図】図７
2010035598.tif 000002
【特許請求の範囲】
【請求項１】
先端にブレードを装着したシャフトを有する競技用スティックであって、
前記シャフトの表面部に、軸長方向に延出し外方に向けて膨出する少なくとも２つ以上の膨出部を形成したことを特徴とする競技用スティック。
【請求項２】
前記シャフトは、断面多角形状に形成され、前記膨出部を多角形の頂部に設けたことを特徴とする請求項１に記載の競技用スティック。
【請求項３】
前記シャフトは、強化繊維に樹脂を含浸させてなるプリプレグシートを巻装することで構成されており、
前記膨出部は、前記プリプレグシートによってシャフトと共に一体形成されていることを特徴とする請求項１又は２に記載の競技用スティック。
【発明の詳細な説明】
【技術分野】
【０００１】
本発明は、アイスホッケーやフィールドホッケー、或いはクリケット等の競技に用いられる競技用スティックに関する。
【背景技術】
【０００２】
上記したような競技に用いられる競技用スティックは、握持、保持されるシャフトと、シャフトの先端部に一体的、又は着脱可能に装着され、ボールやパックを叩くブレードとを備えている。通常、このような競技用スティックのシャフトは、例えば、特許文献１に開示されているように、繊維強化プラスチックのような複合材を用いて軽量化を図ることが知られている。
【０００３】
また、前記シャフトは、上記した特許文献１に開示されているように、断面形状を矩形にすることが一般化されている。これは、ブレード部分でボールやパックを打つ（以下、打球と称する）際、軸に対して加わる回転トルクを抑え易くするためである。すなわち、シャフトの断面が円形状や楕円形状であると、シャフトを強く握持、保持していても、回転トルクが作用すると掌の内部で回転し易くなってしまい、結果として、ブレード部分で強く打球した際に回転トルクに負けてシャフトが回り、正確なシュート（方向性）を打てないか、或いは、ボールやパックに十分な力を伝えきれないからである。
【特許文献１】特開平６−１９８０１０号
【発明の開示】
【発明が解決しようとする課題】
【０００４】
上記した特許文献１に開示されているように、シャフトの断面形状を矩形にすることによって、ブレード部分で打球した際にシャフトに作用する回転トルクを、円形状や楕円形状と比較して抑えることは可能であるものの、より打球の方向性を向上し、かつスピードの速い打球をする（シュートを打つ）ためには、更にシャフトに作用する回転力を抑えるように構成されていることが望ましい。
【０００５】
本発明は、上記した問題に着目してなされたものであり、ブレードで打球した際、シャフト部分の回転を抑制することが可能な競技用スティックを提供することを目的とする。
【課題を解決するための手段】
【０００６】
上記した目的を達成するために、本発明に係る競技用スティックは、先端にブレードを装着したシャフトを有しており、前記シャフトの表面部に、軸長方向に延出し外方に向けて膨出する少なくとも２つ以上の膨出部を形成したことを特徴とする。
【０００７】
上記した構成の競技用スティックでは、シャフトの表面部に、軸長方向に延出し外方に向けて膨出する少なくとも２つ以上の膨出部が形成されているため、シャフトを握持、保持した際、前記膨出部によって回転方向に対して掌及び指の腹部の掛かり具合が向上するようになり、これによりシャフトの回転が効果的に抑制され、スピードが速く方向性の良い打球を打つことが可能となる。
【発明の効果】
【０００８】
本発明によれば、ブレードでの打球時において、シャフト部分の回転が効果的に抑制され、スピードが速く方向性の良い打球が可能な競技用スティックが得られる。
【発明を実施するための最良の形態】
【０００９】
以下、本発明に係る競技用スティックの実施形態について添付図面に沿って具体的に説明する。  
図１は、競技用スティックの全体構成を示す図である。
【００１０】
本実施形態の競技用スティック１は、シャフト２と、シャフト２の先端に装着され、ボールやパック等を打球するブレード５とを備えた構成となっている。前記シャフト２は、強化繊維（例えば、炭素繊維、ガラス繊維、アラミド繊維）にエポキシ樹脂、ポリエステル樹脂、フェノール樹脂等のマトリックス樹脂を含浸して形成された、いわゆるプリプレグシートを巻装することで構成されている。この場合、本実施形態のシャフト２は、断面が矩形形状で中空状に構成されている。なお、シャフトの内部には、振動を吸収できるように発泡体等が充填されていても良い。
【００１１】
前記シャフト２の基端部には、グリップテープ７が巻回されている。通常、シャフト２は、使用者の身長や競技における各人のポジション等に応じてカットされ、このカット部分が隠蔽されるように前記グリップテープ７が巻回されている。なお、グリップテープ７は、シャフト２の外周面に直接、巻回しても良いし、握り性を考慮して、シャフト２に別部材を取着した状態で巻回しても良い。
【００１２】
前記ブレード５は、用途によって形状や材料が選択され、前記シャフト２の先端に装着される。この場合、ブレード５については、シャフト２と一体化されていても良いし、交換可能に構成されていても良い。
【００１３】
図２から図５は、図１に示すシャフトの構成を示す図であり、図２はシャフトの断面形状を示す斜視図、図３は、断面図、図４は、シャフトの製造方法の概略を示す断面図、そして、図５は、シャフトの製造方法の概略を示す断面図であって、膨出部が形成された状態を示す図である。
【００１４】
前記シャフト２は、図２に示すように、軸長方向に延出し、外方に向けて膨出する少なくとも２つ以上の膨出部２Ａを備えている。本実施形態のシャフト２は、図３に示すように、断面が矩形形状で中空状に構成されており、前記膨出部２Ａは、矩形の頂部となる角部に形成されている。なお、膨出部２Ａは、シャフト２の表面部２ａに対して外方に膨出するように形成されたものであれば良く、握り心地が良好となるように、その表面は円弧状に形成されていることが好ましい。
【００１５】
また、膨出部２Ａの表面部２ａに対する高さＨについては、高過ぎると握持した際に違和感が生じやすくなり、低過ぎると回転抑制の効果が十分に発揮できなくなることから、０．３〜１．２ｍｍ、好ましくは、０．４〜０．８ｍｍの範囲に設定される。さらに、本実施形態のシャフトのように、断面を矩形形状（長方形形状）にするのであれば、上記した膨出部２Ａの長さＬは、６〜７ｍｍ、短辺の長さＬ１は、７〜８ｍｍ、長辺の長さＬ２は、１０〜１６ｍｍに設定しておくことが好ましい。このような大きさに設定しておくことで、握り込んだ際の保持感の向上が図れると共に、指の腹部や掌が膨出部２Ａに掛かり易くなって、シャフトの回転を抑制することが可能になる。
【００１６】
上記したように構成されるシャフト２は、例えば、断面が矩形に形成された芯金（マンドレル）Ｍに対して、先から元側まで通して巻回されるプリプレグシート（本体プリプレグシートとも称する）２０によって構成することが可能である。この場合、本体プリプレグシート２０は、織布状にした強化繊維に合成樹脂を含浸させて構成されており、芯金Ｍに対して、所定回数巻回される。
【００１７】
なお、プリプレグシートについては、それを構成する強化繊維が、軸長方向、周方向、或いは傾斜方向に引き揃えられたもの（一方向プリプレグシート）であっても良い。この場合、シャフトとして割れや折れが生じないように、強化繊維の引き揃え方向が交差するように、一方向プリプレグシートについては重ねて組み合わせることが望ましい。また、シャフトの軸長方向において、部分的に補強されるように、補強用のプリプレグシートを巻回しても良い。そして、このような補強用のプリプレグシートについては、前記本体プリプレグシート２０に貼着されていても良い。
【００１８】
上記したように構成される本体プリプレグシート２０は、端縁が軸長方向に沿って芯金Ｍに対して当て付けられ、アイロン付け等される。そして、ローリングしながら芯金Ｍに巻回して行き、最終的に巻回し終わった段階で固定用のテープ（図示せず）を巻回してプリプレグシートを安定させる。
【００１９】
そして、上記したように本体プリプレグシート２０が巻回されてテーピングされた芯金Ｍは、図４に示すように、本体プリプレグシート２０の頂部（角部）２１が露出するように、所定形状の押圧型３０，３１によって押圧されながら加熱される。この際、押圧型３０，３１は、矩形の各表面部に対して、それぞれ直交方向で、中心に向かうように略均等の圧力で押圧される（図５の矢印参照）。
【００２０】
これにより、上記した加熱工程によって、本体プリプレグシート２０の合成樹脂が熱硬化される際、図５に示すように、それぞれの頂部２１部分に樹脂が流入して外方に向けて略均等に膨出する（樹脂リッチになって外方に膨出する）ようになり、最終的に表面が円弧状になった膨出部２Ａがシャフトと共に一体形成される。そして、その後、テープの剥離工程、脱芯工程を経て、図１に示すようなシャフト２が形成される。なお、形成されたシャフト２の表面に、例えば、塗装を施したり、テープ等を取着することで、外観を向上させても良い。
【００２１】
上記した構成の競技用スティック１では、図６及び図７に示すように、シャフト２を握持、保持して打球した際、シャフト２が回転しようとしても、それぞれの膨出部２Ａ部分に指の腹部、及び掌が引っ掛り易くなって、シャフト２の回転が効果的に抑制されるようになる。この結果、ボールやパックを強く打球しても、シャフト２がぶれないことから、スピードが速く方向性の良い打球を打つことが可能となる。特に、上記した実施形態では、断面矩形部分の頂部を膨出させているため、握持、保持性の向上が図れると共に、シャフト２の回転をより効果的に抑制することが可能となる。
【００２２】
また、上記した実施形態では、膨出部２Ａを、プリプレグシート２０によって、シャフト２と共に一体形成しているため、シャフト本体との密着性が良く、製造が容易で低コスト化を図ることが可能となる。
【００２３】
以上、本発明の実施形態について説明したが、本発明は、上記した実施の形態に限定されることはなく、種々変形することが可能である。
【００２４】
上記した膨出部２Ａは、シャフト２の表面部から外方に向けて突出していれば良く、例えば、図８に示すように、全体が円弧形状ではなく、部分的に直線状部分２ｂを備えていても良い。このように、膨出部２Ａの形状については、加熱工程時に用いられる押圧型の形状に応じて適宜変形することが可能である。また、膨出部については、上記した手順でシャフトを形成した後に、別体を貼り付けて構成しても良い。この場合、膨出部となる別体例としては、厚みのあるテープをパイプの角部に貼ったり、断面Ｌ字型の樹脂カバーを角部の軸長方向に貼り付ける等によって構成することが可能である。
【００２５】
さらに、シャフト２の断面形状については、五角形以上の多角形状にしても良いし、図９及び図１０に示すように、断面楕円形状にしたり、或いは円形状にしても良い。このような形状にすることで、握持、保持した際の握り心地の向上が図れるようになる。さらに、表面部に設けられる膨出部２Ａについては、効果的にシャフトの回転が防止でき、かつ握り心地が低下しないように、少なくともシャフト２の表面部に２つ以上あれば良い。また、膨出部は、多角形の頂部以外の部分に設けても良いし、シャフトの長手方向において主に握持、保持される領域部分のみに設けても良い。
【００２６】
また、上記した実施形態では、シャフトを構成する素材として、プリプレグシートを用いたが、構成素材やシャフトの形成方法については、適宜変形することが可能である。例えば、シャフトは、引き抜き成形法によって本願と同様の形状のシャフトを得ても良い。
【００２７】
さらに、上記した実施形態において、シャフト２を構成するプリプレグシートは、例えば、強化繊維の引き揃え方向、合成樹脂の含浸量、肉厚、巻回数等について、適宜変形して用いることが可能である。
【図面の簡単な説明】
【００２８】
【図１】本発明に係る競技用スティックの全体構成を示す図。
【図２】図１に示すシャフトの断面形状を示す斜視図。
【図３】シャフトの断面図。
【図４】シャフトの製造方法の概略を示す断面図。
【図５】シャフトの製造方法の概略を示す断面図であり、膨出部が形成された状態を示す図。
【図６】シャフトを握持、保持した状態をグリップエンド側から見た図。
【図７】シャフトを握持、保持した状態を示す斜視図。
【図８】シャフトの第１の変形例を示す断面図。
【図９】シャフトの第２の変形例を示す断面図。
【図１０】図９に示す構成において、シャフトを握持、保持した状態をグリップエンド側から見た図。
【符号の説明】
【００２９】
１  競技用スティック
２  シャフト
２Ａ  膨出部
５  ブレード
２０  プリプレグシート
２１  頂部
３０，３１  押圧型
【図１】
2010035598.tif 000003
【図２】
2010035598.tif 000004
【図３】
2010035598.tif 000005
【図４】
2010035598.tif 000006
【図５】
2010035598.tif 000007
【図６】
2010035598.tif 000008
【図７】
2010035598.tif 000009
【図８】
2010035598.tif 000010
【図９】
2010035598.tif 000011
【図１０】
2010035598.tif 000012